(57)【要約】      （修正有）【課題】携帯用メイクポーチを提供する。【解決手段】メイクポーチ２３はベルトを含み、前記ベルトの中には位置制限スライド溝２４が上下に対称的に設置され、前記位置制限スライド溝の後端壁には長スライド溝２５が設置される。調節軸２７の前端にはメイクポーチが回転できるように連結される。メイクアップアーティストが他人のメイクを手がける時、メイクポーチを往復にスライドするだけで、化粧品を換える時間を節約でき、それに携帯の時に斜めで身にかけ、メイクポーチの旋転により化粧品が傾いて漏れることを防止する。【選択図】図２
2020175071.tif 000002
【特許請求の範囲】
【請求項１】
ベルトを含み、前記ベルトの中には位置制限スライド溝が上下に対称的に設置され、前記位置制限スライド溝の後端壁には長スライド溝が設置され、それぞれの前記長スライド溝の中にはゴム板が上下に対称的にスライドできるように連結され、前記ゴム板と前記長スライド溝との間には小ばねが連結され、前記ベルトには長さを調節できる調節板が設置され、前記ベルトの前端には支持板が設置され、前記支持板の左右端面には連結ロッドが上下に対称的に、且つ固定的に設置され、上下両端の前記連結ロッドがそれぞれ前記位置制限スライド溝とスライドできるように連結され、前記連結ロッドの後端には前記ゴム板とスライドできるように連結される楕円スライドブロックが設置され、前記ゴム板は手で押さなくても前記楕円スライドブロックを前記長スライド溝の中に固定することができ、前記支持板の前端面には調節軸が固定的に設置され、前記調節軸の前端にはメイクポーチが回転できるように連結され、前記メイクポーチの後端壁には駆動溝が設置され、前記支持板が前に伸びて前記駆動溝の中に挿入され、且つ前記駆動溝の前後端壁と回転できるように連結され、前記支持板において前記駆動溝の中には固定盤が固定的に設置され、前記駆動溝の下端壁には下スライド溝が左右に対称的に設置され、前記駆動溝の上端壁には上スライド溝が左右に対称的に設置され、前記駆動溝の上端壁にはつまみ軸が回転できるように連結され、前記つまみ軸が上へ外部空間に伸びており、前記つまみ軸と前記メイクポーチの上端面とが回転できるように連結され、前記つまみ軸の上端にはつまみが固定的に設置され、前記つまみ軸の下端には第一傘歯車が固定的に設置され、前記駆動溝の中には前記つまみ軸を通じて駆動する旋転装置が設置され、前記旋転装置によって前記メイクポーチの角度を調節でき、前記駆動溝の前端には収納溝が設置され、前記収納溝の右端壁には右固定溝が設置され、前記収納溝の上端壁には外部空間と相通する通し溝が設置され、前記通し溝の前後端壁には円柱ロッドが固定的に設置され、前記通し溝の中には蓋がスライドできるように連結され、前記蓋の中には翻転スライド溝が設置され、前記翻転スライド溝と前記円柱ロッドとがスライドできるように連結され、前記翻転スライド溝の右端には連動溝が設置され、前記連動溝の中には前記蓋を制御するロック解除装置が設置され、前記収納溝の右端には外部空間と相通する保管溝が設置され、前記蓋によって前記保管溝の上端面を覆うことができることを特徴とするプロ用メイクポーチ。
【請求項２】
前記旋転装置は前記駆動溝の前後端壁と回転できるように連結される短軸を含み、前記短軸の前端には前記第一傘歯車と噛み合う第二傘歯車が設置され、前記短軸の後端には第一歯車が設置され、前記短軸の左右両側には移動板が対称的に設置され、左右両端の前記移動板がそれぞれ左右両端の前記上スライド溝とスライドできるように連結され、前記移動板の下端と前記下スライド溝の下端壁との間には復帰ばねが連結され、前記移動板のうち前記第一歯車に近接する端面には前記第一歯車と噛み合う短ラックが対称的に設置され、前記移動板のうち前記支持板に近接する端面にはそれぞれ細ロッドが固定的に設置され、前記細ロッドのもう一端にはそれぞれ前記固定盤を固定できる円錐状ヘッドが固定的に設置され、メイクポーチの角度を調節する時、前記つまみを回し、これにより前記つまみ軸と、前記第一傘歯車と、前記第二傘歯車と、前記第一歯車との旋転によって、左端の前記移動板を下に連動させ、右端の前記移動板を上に連動させ、これにより前記固定盤のロックを解除し、前記メイクポーチを回せることを特徴とする請求項１に記載のプロ用メイクポーチ。
【請求項３】
前記ロック解除装置はロック解除軸を含み、前記ロック解除軸がそれぞれ前記連動溝の左右端壁と前記蓋の右端面と回転できるように連結され、前記ロック解除軸の右端にはスイッチ旋転ブロックが固定的に設置され、前記ロック解除軸の左端には第二歯車が固定的に設置され、前記連動溝の上下端壁にはロック解除スライド溝が設置され、前記ロック解除スライド溝の下端壁が前記蓋を貫通し、前記ロック解除スライド溝の中には前記第二歯車と噛み合う長ラックがスライドできるように連結され、前記長ラックと前記ロック解除スライド溝との間にはロック解除ばねが連結され、前記メイクポーチの上端面には前記長ラックとスライドできるように連結される閉じ溝が設置され、化粧する時、前記スイッチ旋転ブロックを回し、これにより前記ロック解除軸と前記第二歯車が回転し、前記長ラックを上に移動連動させ、更に前記長ラックを前記閉じ溝から遠離させることを特徴とする請求項１に記載のプロ用メイクポーチ。
【発明の詳細な説明】
【技術分野】
【０００１】
本発明は化粧品分野に関し、具体的にはプロ用メイクポーチである。
【背景技術】
【０００２】
撮影スタジオ又はドラマ撮影現場においてメイクアップアーティストは欠けない存在であり、化粧する時、化粧品を卓上に置き、モデルや俳優などのメイクを手がけ、様々な化粧品があって、取るのが面倒くさく、現有のメイクポーチの携帯に不便もある。
【先行技術文献】
【特許文献】
【０００３】
【特許文献１】中国特許出願公開第１０２８９４５７１号明細書
【発明の概要】
【発明が解決しようとする課題】
【０００４】
本発明の目的はプロ用メイクポーチを提供し、それは上記の現在の技術中の問題を解決できる。
【課題を解決するための手段】
【０００５】
本発明は以下の技術プランを通じて実現する：本発明のプロ用メイクポーチは、ベルトを含み、前記ベルトの中には位置制限スライド溝が上下に対称的に設置され、前記位置制限スライド溝の後端壁には長スライド溝が設置され、それぞれの前記長スライド溝の中にはゴム板が上下に対称的にスライドできるように連結され、前記ゴム板と前記長スライド溝との間には小ばねが連結され、前記ベルトには長さを調節できる調節板が設置され、前記ベルトの前端には支持板が設置され、前記支持板の左右端面には連結ロッドが上下に対称的に、且つ固定的に設置され、上下両端の前記連結ロッドがそれぞれ前記位置制限スライド溝とスライドできるように連結され、前記連結ロッドの後端には前記ゴム板とスライドできるように連結される楕円スライドブロックが設置され、前記ゴム板は手で押さなくても前記楕円スライドブロックを前記長スライド溝の中に固定することができ、前記支持板の前端面には調節軸が固定的に設置され、前記調節軸の前端にはメイクポーチが回転できるように連結され、前記メイクポーチの後端壁には駆動溝が設置され、前記支持板が前に伸びて前記駆動溝の中に挿入され、且つ前記駆動溝の前後端壁と回転できるように連結され、前記支持板において前記駆動溝の中には固定盤が固定的に設置され、前記駆動溝の下端壁には下スライド溝が左右に対称的に設置され、前記駆動溝の上端壁には上スライド溝が左右に対称的に設置され、前記駆動溝の上端壁にはつまみ軸が回転できるように連結され、前記つまみ軸が上へ外部空間に伸びており、前記つまみ軸と前記メイクポーチの上端面とが回転できるように連結され、前記つまみ軸の上端にはつまみが固定的に設置され、前記つまみ軸の下端には第一傘歯車が固定的に設置され、前記駆動溝の中には前記つまみ軸を通じて駆動する旋転装置が設置され、前記旋転装置によって前記メイクポーチの角度を調節でき、前記駆動溝の前端には収納溝が設置され、前記収納溝の右端壁には右固定溝が設置され、前記収納溝の上端壁には外部空間と相通する通し溝が設置され、前記通し溝の前後端壁には円柱ロッドが固定的に設置され、前記通し溝の中には蓋がスライドできるように連結され、前記蓋の中には翻転スライド溝が設置され、前記翻転スライド溝と前記円柱ロッドとがスライドできるように連結され、前記翻転スライド溝の右端には連動溝が設置され、前記連動溝の中には前記蓋を制御するロック解除装置が設置され、前記収納溝の右端には外部空間と相通する保管溝が設置され、前記蓋によって前記保管溝の上端面を覆うことができる。
【０００６】
優選的には、前記旋転装置は前記駆動溝の前後端壁と回転できるように連結される短軸を含み、前記短軸の前端には前記第一傘歯車と噛み合う第二傘歯車が設置され、前記短軸の後端には第一歯車が設置され、前記短軸の左右両側には移動板が対称的に設置され、左右両端の前記移動板がそれぞれ左右両端の前記上スライド溝とスライドできるように連結され、前記移動板の下端と前記下スライド溝の下端壁との間には復帰ばねが連結され、前記移動板のうち前記第一歯車に近接する端面には前記第一歯車と噛み合う短ラックが対称的に設置され、前記移動板のうち前記支持板に近接する端面にはそれぞれ細ロッドが固定的に設置され、前記細ロッドのもう一端にはそれぞれ前記固定盤を固定できる円錐状ヘッドが固定的に設置され、メイクポーチの角度を調節する時、前記つまみを回し、これにより前記つまみ軸と、前記第一傘歯車と、前記第二傘歯車と、前記第一歯車との旋転によって、左端の前記移動板を下に連動させ、右端の前記移動板を上に連動させ、これにより前記固定盤のロックを解除し、前記メイクポーチを回せる。
【０００７】
優選的には、前記ロック解除装置はロック解除軸を含み、前記ロック解除軸がそれぞれ前記連動溝の左右端壁と前記蓋の右端面と回転できるように連結され、前記ロック解除軸の右端にはスイッチ旋転ブロックが固定的に設置され、前記ロック解除軸の左端には第二歯車が固定的に設置され、前記連動溝の上下端壁にはロック解除スライド溝が設置され、前記ロック解除スライド溝の下端壁が前記蓋を貫通し、前記ロック解除スライド溝の中には前記第二歯車と噛み合う長ラックがスライドできるように連結され、前記長ラックと前記ロック解除スライド溝との間にはロック解除ばねが連結され、前記メイクポーチの上端面には前記長ラックとスライドできるように連結される閉じ溝が設置され、化粧する時、前記スイッチ旋転ブロックを回し、これにより前記ロック解除軸と前記第二歯車が回転し、前記長ラックを上に移動連動させ、更に前記長ラックを前記閉じ溝から遠離させる。
【発明の効果】
【０００８】
本発明の有益効果は：本装置によって、メイクアップアーティストが他人のメイクを手がける時、メイクポーチを往復にスライドするだけで、化粧品を換える時間を節約でき、それに携帯の時に斜めで身にかけ、メイクポーチの旋転により化粧品が傾いて漏れることを防止する。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
【図１】図１は本発明のプロ用メイクポーチの正面構成略図
【図２】図２は図１の全体断面の俯瞰構造略図
【図３】図３は図２のＡ−Ａの断面図
【図４】図４は本発明のベルトの内部構造略図
【図５】図５は図２のＢ−Ｂの断面図
【図６】図６は図５のＣの局部拡大図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
以下、図１−６について本発明を詳しく説明し、便利に叙述するように、現在は後文に出る方位を下記の通りに規定する：後文に出る上下左右前後方向は図１本体の投影関係の上下左右前後方向と一致する。
【００１４】
図１−６を参照し、本発明の実施例：プロ用メイクポーチは、ベルト２１を含み、前記ベルト２１の中には位置制限スライド溝２４が上下に対称的に設置され、前記位置制限スライド溝２４の後端壁には長スライド溝２５が設置され、それぞれの前記長スライド溝２５の中にはゴム板４６が上下に対称的にスライドできるように連結され、前記ゴム板４６と前記長スライド溝２５との間には小ばね４５が連結され、前記ベルト２１には長さを調節できる調節板２９が設置され、前記ベルト２１の前端には支持板２８が設置され、前記支持板２８の左右端面には連結ロッド２２が上下に対称的に、且つ固定的に設置され、上下両端の前記連結ロッド２２がそれぞれ前記位置制限スライド溝２４とスライドできるように連結され、前記連結ロッド２２の後端には前記ゴム板４６とスライドできるように連結される楕円スライドブロック２６が設置され、前記ゴム板４６は手で押さなくても前記楕円スライドブロック２６を前記長スライド溝２５の中に固定することができ、前記支持板２８の前端面には調節軸２７が固定的に設置され、前記調節軸２７の前端にはメイクポーチ２３が回転できるように連結され、前記メイクポーチ２３の後端壁には駆動溝３０が設置され、前記支持板２８が前に伸びて前記駆動溝３０の中に挿入され、且つ前記駆動溝３０の前後端壁と回転できるように連結され、前記支持板２８において前記駆動溝３０の中には固定盤４２が固定的に設置され、前記駆動溝３０の下端壁には下スライド溝４３が左右に対称的に設置され、前記駆動溝３０の上端壁には上スライド溝３３が左右に対称的に設置され、前記駆動溝３０の上端壁にはつまみ軸３４が回転できるように連結され、前記つまみ軸３４が上へ外部空間に伸びており、前記つまみ軸３４と前記メイクポーチ２３の上端面とが回転できるように連結され、前記つまみ軸３４の上端にはつまみ３５が固定的に設置され、前記つまみ軸３４の下端には第一傘歯車３６が固定的に設置され、前記駆動溝３０の中には前記つまみ軸３４を通じて駆動する旋転装置１０１が設置され、前記旋転装置１０１によって前記メイクポーチ２３の角度を調節でき、前記駆動溝３０の前端には収納溝５３が設置され、前記収納溝５３の右端壁には右固定溝５２が設置され、前記収納溝５３の上端壁には外部空間と相通する通し溝６２が設置され、前記通し溝６２の前後端壁には円柱ロッド４９が固定的に設置され、前記通し溝６２の中には蓋５０がスライドできるように連結され、前記蓋５０の中には翻転スライド溝５１が設置され、前記翻転スライド溝５１と前記円柱ロッド４９とがスライドできるように連結され、前記翻転スライド溝５１の右端には連動溝６６が設置され、前記連動溝６６の中には前記蓋５０を制御するロック解除装置１０２が設置され、前記収納溝５３の右端には外部空間と相通する保管溝５４が設置され、前記蓋５０によって前記保管溝５４の上端面を覆うことができる。
【００１５】
前記旋転装置１０１は前記駆動溝３０の前後端壁と回転できるように連結される短軸３８を含み、前記短軸３８の前端には前記第一傘歯車３６と噛み合う第二傘歯車３９が設置され、前記短軸３８の後端には第一歯車３７が設置され、前記短軸３８の左右両側には移動板３２が対称的に設置され、左右両端の前記移動板３２がそれぞれ左右両端の前記上スライド溝３３とスライドできるように連結され、前記移動板３２の下端と前記下スライド溝４３の下端壁との間には復帰ばね４４が連結され、前記移動板３２のうち前記第一歯車３７に近接する端面には前記第一歯車３７と噛み合う短ラック３１が対称的に設置され、前記移動板３２のうち前記支持板２８に近接する端面にはそれぞれ細ロッド４１が固定的に設置され、前記細ロッド４１のもう一端にはそれぞれ前記固定盤４２を固定できる円錐状ヘッド４０が固定的に設置され、メイクポーチの角度を調節する時、前記つまみ３５を回し、これにより前記つまみ軸３４と、前記第一傘歯車３６と、前記第二傘歯車３９と、前記第一歯車３７との旋転によって、左端の前記移動板３２を下に連動させ、右端の前記移動板３２を上に連動させ、これにより前記固定盤４２のロックを解除し、前記メイクポーチ２３を回せる。
【００１６】
前記ロック解除装置１０２はロック解除軸５９を含み、前記ロック解除軸５９がそれぞれ前記連動溝６６の左右端壁と前記蓋５０の右端面と回転できるように連結され、前記ロック解除軸５９の右端にはスイッチ旋転ブロック６１が固定的に設置され、前記ロック解除軸５９の左端には第二歯車５８が固定的に設置され、前記連動溝６６の上下端壁にはロック解除スライド溝５５が設置され、前記ロック解除スライド溝５５の下端壁が前記蓋５０を貫通し、前記ロック解除スライド溝５５の中には前記第二歯車５８と噛み合う長ラック５７がスライドできるように連結され、前記長ラック５７と前記ロック解除スライド溝５５との間にはロック解除ばね５６が連結され、前記メイクポーチ２３の上端面には前記長ラック５７とスライドできるように連結される閉じ溝６０が設置され、化粧する時、前記スイッチ旋転ブロック６１を回し、これにより前記ロック解除軸５９と前記第二歯車５８が回転し、前記長ラック５７を上に移動連動させ、更に前記長ラック５７を前記閉じ溝６０から遠離させる。
【００１７】
使用する時、メイクを手がける時、ベルト２１を腰に巻き付け、調節板２９によってベルト２１の長さを調節し、それからスイッチ旋転ブロック６１を回し、これによりロック解除軸５９と第二歯車５８の回転によって、長ラック５７を上に移動連動させて閉じ溝６０から離脱させ、それから蓋５０を翻転し、蓋５０を収納溝５３の中に挿し込み、それから長ラック５７を右固定溝５２の中に固定し、保存溝５４の中の化粧品を選び、選び終わったら、メイクポーチ２３を長スライド溝２５のもう一端に押し、使用に妨げなく、メイクポーチ２３を引っ張れば化粧品を換えられ、化粧を終えた後、調節板２９の長さを調節することによって、ベルト２１を斜めで身にかけ、携帯に便利であり、同時につまみ３５を回し、更につまみ軸３４と、第一傘歯車３６と、第二傘歯車３９と、第一歯車３７とが旋転することによって、左端の移動板３２を下に連動させ、右端の移動板３２を上に連動させ、これにより固定盤４２のロックを解除し、更にメイクポーチ２３を回せ、メイクポーチ２３の角度を調節し、携帯中に化粧品が落ちることを防止する。
【００１８】
本発明の有益効果は：本装置によって、メイクアップアーティストが他人のメイクを手がける時、メイクポーチを往復にスライドするだけで、化粧品を換える時間を節約でき、それに携帯の時に斜めで身にかけ、メイクポーチの旋転により化粧品が傾いて漏れることを防止する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175071.tif 000003
【図２】
2020175071.tif 000004
【図３】
2020175071.tif 000005
【図４】
2020175071.tif 000006
【図５】
2020175071.tif 000007
【図６】
2020175071.tif 000008
【手続補正書】
【提出日】令和2年3月20日(2020.3.20)
【手続補正１】
【補正対象書類名】特許請求の範囲
【補正対象項目名】全文
【補正方法】変更
【補正の内容】
【特許請求の範囲】
【請求項１】
ベルトを含み、前記ベルトの中には位置制限スライド空間が上下に対称的に設置され、前記位置制限スライド空間の後端壁には長スライド空間が設置され、それぞれの前記長スライド空間の中にはゴム板が上下に対称的にスライドできるように連結され、前記ゴム板と前記長スライド空間との間には小ばねが連結され、前記ベルトには長さを調節できる調節板が設置され、前記ベルトの前端には支持板が設置され、前記支持板の左右端面には連結ロッドが上下に対称的に、且つ固定的に設置され、上下両端の前記連結ロッドがそれぞれ前記位置制限スライド空間とスライドできるように連結され、前記連結ロッドの後端には前記ゴム板とスライドできるように連結される楕円スライドブロックが設置され、前記ゴム板は手で押さなくても前記楕円スライドブロックを前記長スライド空間の中に固定することができ、前記支持板の前端面には調節軸が固定的に設置され、前記調節軸の前端にはメイクポーチが回転できるように連結され、前記メイクポーチの後端壁には駆動空間が設置され、前記調節軸が前に伸びて前記駆動空間の中に挿入され、且つ前記駆動空間の前後端壁と回転できるように連結され、前記調節軸において前記駆動空間の中には固定盤が固定的に設置され、前記駆動空間の下端壁には下スライド空間が左右に対称的に設置され、前記駆動空間の上端壁には上スライド空間が左右に対称的に設置され、前記駆動空間の上端壁にはつまみ軸が回転できるように連結され、前記つまみ軸が上へ外部空間に伸びており、前記つまみ軸と前記メイクポーチの上端面とが回転できるように連結され、前記つまみ軸の上端にはつまみが固定的に設置され、前記つまみ軸の下端には第一傘歯車が固定的に設置され、前記駆動空間の中には前記つまみ軸を通じて駆動する旋転装置が設置され、前記旋転装置によって前記メイクポーチの角度を調節でき、前記駆動空間の前端には収納空間が設置され、前記収納空間の前端壁には右固定空間が設置され、前記収納空間の上端壁には外部空間と相通する通し空間が設置され、前記通し空間の前後端壁には円柱ロッドが固定的に設置され、前記通し空間の中には蓋がスライドできるように連結され、前記蓋の中には翻転スライド空間が設置され、前記翻転スライド空間と前記円柱ロッドとがスライドできるように連結され、前記翻転スライド空間の前端には連動空間が設置され、前記連動空間の中には前記蓋を制御するロック解除装置が設置され、前記収納空間の前端には外部空間と相通する保管空間が設置され、前記蓋によって前記保管空間の上端面を覆うことができることを特徴とするプロ用メイクポーチ。
【請求項２】
前記旋転装置は前記駆動空間の前後端壁と回転できるように連結される短軸を含み、前記短軸の前端には前記第一傘歯車と噛み合う第二傘歯車が設置され、前記短軸の後端には第一歯車が設置され、前記短軸の左右両側には移動板が対称的に設置され、左右両端の前記移動板がそれぞれ左右両端の前記上スライド空間とスライドできるように連結され、前記移動板の下端と前記下スライド空間の下端壁との間には復帰ばねが連結され、前記移動板のうち前記第一歯車に近接する端面には前記第一歯車と噛み合う短ラックが対称的に設置され、前記移動板のうち前記調節軸に近接する端面にはそれぞれ細ロッドが固定的に設置され、前記細ロッドのもう一端にはそれぞれ前記固定盤を固定できる円錐状ヘッドが固定的に設置され、メイクポーチの角度を調節する時、前記つまみを回し、これにより前記つまみ軸と、前記第一傘歯車と、前記第二傘歯車と、前記第一歯車との旋転によって、左端の前記移動板を下に連動させ、右端の前記移動板を上に連動させ、これにより前記固定盤のロックを解除し、前記メイクポーチを回せることを特徴とする請求項１に記載のプロ用メイクポーチ。
【請求項３】
前記ロック解除装置はロック解除軸を含み、前記ロック解除軸がそれぞれ前記連動空間の前後端壁と前記蓋の前端面と回転できるように連結され、前記ロック解除軸の前端にはスイッチ旋転ブロックが固定的に設置され、前記ロック解除軸の後端には第二歯車が固定的に設置され、前記連動空間の上下端壁にはロック解除スライド空間が設置され、前記ロック解除スライド空間の下端壁が前記蓋を貫通し、前記ロック解除スライド空間の中には前記第二歯車と噛み合う長ラックがスライドできるように連結され、前記長ラックと前記ロック解除スライド空間との間にはロック解除ばねが連結され、前記メイクポーチの上端面には前記長ラックとスライドできるように連結される閉じ空間が設置され、化粧する時、前記スイッチ旋転ブロックを回し、これにより前記ロック解除軸と前記第二歯車が回転し、前記長ラックを上に移動連動させ、更に前記長ラックを前記閉じ空間から遠離させることを特徴とする請求項１に記載のプロ用メイクポーチ。
【手続補正２】
【補正対象書類名】明細書
【補正対象項目名】全文
【補正方法】変更
【補正の内容】
【発明の詳細な説明】
【技術分野】
【０００１】
本発明は化粧品分野に関し、具体的にはプロ用メイクポーチである。
【背景技術】
【０００２】
撮影スタジオ又はドラマ撮影現場においてメイクアップアーティストは欠けない存在であり、化粧する時、化粧品を卓上に置き、モデルや俳優などのメイクを手がけ、様々な化粧品があって、取るのが面倒くさく、現有のメイクポーチの携帯に不便もある。
【先行技術文献】
【特許文献】
【０００３】
【特許文献１】中国特許出願公開第１０２８９４５７１号明細書
【発明の概要】
【発明が解決しようとする課題】
【０００４】
本発明の目的はプロ用メイクポーチを提供し、それは上記の現在の技術中の問題を解決できる。
【課題を解決するための手段】
【０００５】
本発明は以下の技術プランを通じて実現する：本発明のプロ用メイクポーチは、ベルトを含み、前記ベルトの中には位置制限スライド空間が上下に対称的に設置され、前記位置制限スライド空間の後端壁には長スライド空間が設置され、それぞれの前記長スライド空間の中にはゴム板が上下に対称的にスライドできるように連結され、前記ゴム板と前記長スライド空間との間には小ばねが連結され、前記ベルトには長さを調節できる調節板が設置され、前記ベルトの前端には支持板が設置され、前記支持板の左右端面には連結ロッドが上下に対称的に、且つ固定的に設置され、上下両端の前記連結ロッドがそれぞれ前記位置制限スライド空間とスライドできるように連結され、前記連結ロッドの後端には前記ゴム板とスライドできるように連結される楕円スライドブロックが設置され、前記ゴム板は手で押さなくても前記楕円スライドブロックを前記長スライド空間の中に固定することができ、前記支持板の前端面には調節軸が固定的に設置され、前記調節軸の前端にはメイクポーチが回転できるように連結され、前記メイクポーチの後端壁には駆動空間が設置され、前記調節軸が前に伸びて前記駆動空間の中に挿入され、且つ前記駆動空間の前後端壁と回転できるように連結され、前記調節軸において前記駆動空間の中には固定盤が固定的に設置され、前記駆動空間の下端壁には下スライド空間が左右に対称的に設置され、前記駆動空間の上端壁には上スライド空間が左右に対称的に設置され、前記駆動空間の上端壁にはつまみ軸が回転できるように連結され、前記つまみ軸が上へ外部空間に伸びており、前記つまみ軸と前記メイクポーチの上端面とが回転できるように連結され、前記つまみ軸の上端にはつまみが固定的に設置され、前記つまみ軸の下端には第一傘歯車が固定的に設置され、前記駆動空間の中には前記つまみ軸を通じて駆動する旋転装置が設置され、前記旋転装置によって前記メイクポーチの角度を調節でき、前記駆動空間の前端には収納空間が設置され、前記収納空間の前端壁には右固定空間が設置され、前記収納空間の上端壁には外部空間と相通する通し空間が設置され、前記通し空間の前後端壁には円柱ロッドが固定的に設置され、前記通し空間の中には蓋がスライドできるように連結され、前記蓋の中には翻転スライド空間が設置され、前記翻転スライド空間と前記円柱ロッドとがスライドできるように連結され、前記翻転スライド空間の前端には連動空間が設置され、前記連動空間の中には前記蓋を制御するロック解除装置が設置され、前記収納空間の前端には外部空間と相通する保管空間が設置され、前記蓋によって前記保管空間の上端面を覆うことができる。
【０００６】
優選的には、前記旋転装置は前記駆動空間の前後端壁と回転できるように連結される短軸を含み、前記短軸の前端には前記第一傘歯車と噛み合う第二傘歯車が設置され、前記短軸の後端には第一歯車が設置され、前記短軸の左右両側には移動板が対称的に設置され、左右両端の前記移動板がそれぞれ左右両端の前記上スライド空間とスライドできるように連結され、前記移動板の下端と前記下スライド空間の下端壁との間には復帰ばねが連結され、前記移動板のうち前記第一歯車に近接する端面には前記第一歯車と噛み合う短ラックが対称的に設置され、前記移動板のうち前記調節軸に近接する端面にはそれぞれ細ロッドが固定的に設置され、前記細ロッドのもう一端にはそれぞれ前記固定盤を固定できる円錐状ヘッドが固定的に設置され、メイクポーチの角度を調節する時、前記つまみを回し、これにより前記つまみ軸と、前記第一傘歯車と、前記第二傘歯車と、前記第一歯車との旋転によって、左端の前記移動板を下に連動させ、右端の前記移動板を上に連動させ、これにより前記固定盤のロックを解除し、前記メイクポーチを回せる。
【０００７】
優選的には、前記ロック解除装置はロック解除軸を含み、前記ロック解除軸がそれぞれ前記連動空間の前後端壁と前記蓋の前端面と回転できるように連結され、前記ロック解除軸の前端にはスイッチ旋転ブロックが固定的に設置され、前記ロック解除軸の後端には第二歯車が固定的に設置され、前記連動空間の上下端壁にはロック解除スライド空間が設置され、前記ロック解除スライド空間の下端壁が前記蓋を貫通し、前記ロック解除スライド空間の中には前記第二歯車と噛み合う長ラックがスライドできるように連結され、前記長ラックと前記ロック解除スライド空間との間にはロック解除ばねが連結され、前記メイクポーチの上端面には前記長ラックとスライドできるように連結される閉じ空間が設置され、化粧する時、前記スイッチ旋転ブロックを回し、これにより前記ロック解除軸と前記第二歯車が回転し、前記長ラックを上に移動連動させ、更に前記長ラックを前記閉じ空間から遠離させる。
【発明の効果】
【０００８】
本発明の有益効果は：本装置によって、メイクアップアーティストが他人のメイクを手がける時、メイクポーチを往復にスライドするだけで、化粧品を換える時間を節約でき、それに携帯の時に斜めで身にかけ、メイクポーチの旋転により化粧品が傾いて漏れることを防止する。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
【図１】図１は本発明のプロ用メイクポーチの正面構成略図
【図２】図２は図１の全体断面の俯瞰構造略図
【図３】図３は図２のＡ−Ａの断面図
【図４】図４は本発明のベルトの内部構造略図
【図５】図５は図２のＢ−Ｂの断面図
【図６】図６は図５のＣの局部拡大図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
以下、図１−６について本発明を詳しく説明し、便利に叙述するように、現在は後文に出る方位を下記の通りに規定する：後文に出る上下左右前後方向は図１本体の投影関係の上下左右前後方向と一致する。
【００１４】
図１−６を参照し、本発明の実施例：プロ用メイクポーチは、ベルト２１を含み、前記ベルト２１の中には位置制限スライド空間２４が上下に対称的に設置され、前記位置制限スライド空間２４の後端壁には長スライド空間２５が設置され、それぞれの前記長スライド空間２５の中にはゴム板４６が上下に対称的にスライドできるように連結され、前記ゴム板４６と前記長スライド空間２５との間には小ばね４５が連結され、前記ベルト２１には長さを調節できる調節板２９が設置され、前記ベルト２１の前端には支持板２８が設置され、前記支持板２８の左右端面には連結ロッド２２が上下に対称的に、且つ固定的に設置され、上下両端の前記連結ロッド２２がそれぞれ前記位置制限スライド空間２４とスライドできるように連結され、前記連結ロッド２２の後端には前記ゴム板４６とスライドできるように連結される楕円スライドブロック２６が設置され、前記ゴム板４６は手で押さなくても前記楕円スライドブロック２６を前記長スライド空間２５の中に固定することができ、前記支持板２８の前端面には調節軸２７が固定的に設置され、前記調節軸２７の前端にはメイクポーチ２３が回転できるように連結され、前記メイクポーチ２３の後端壁には駆動空間３０が設置され、前記調節軸２７が前に伸びて前記駆動空間３０の中に挿入され、且つ前記駆動空間３０の前後端壁と回転できるように連結され、前記調節軸２７において前記駆動空間３０の中には固定盤４２が固定的に設置され、前記駆動空間３０の下端壁には下スライド空間４３が左右に対称的に設置され、前記駆動空間３０の上端壁には上スライド空間３３が左右に対称的に設置され、前記駆動空間３０の上端壁にはつまみ軸３４が回転できるように連結され、前記つまみ軸３４が上へ外部空間に伸びており、前記つまみ軸３４と前記メイクポーチ２３の上端面とが回転できるように連結され、前記つまみ軸３４の上端にはつまみ３５が固定的に設置され、前記つまみ軸３４の下端には第一傘歯車３６が固定的に設置され、前記駆動空間３０の中には前記つまみ軸３４を通じて駆動する旋転装置１０１が設置され、前記旋転装置１０１によって前記メイクポーチ２３の角度を調節でき、前記駆動空間３０の前端には収納空間５３が設置され、前記収納空間５３の前端壁には右固定空間５２が設置され、前記収納空間５３の上端壁には外部空間と相通する通し空間６２が設置され、前記通し空間６２の前後端壁には円柱ロッド４９が固定的に設置され、前記通し空間６２の中には蓋５０がスライドできるように連結され、前記蓋５０の中には翻転スライド空間５１が設置され、前記翻転スライド空間５１と前記円柱ロッド４９とがスライドできるように連結され、前記翻転スライド空間５１の前端には連動空間６６が設置され、前記連動空間６６の中には前記蓋５０を制御するロック解除装置１０２が設置され、前記収納空間５３の前端には外部空間と相通する保管空間５４が設置され、前記蓋５０によって前記保管空間５４の上端面を覆うことができる。
【００１５】
前記旋転装置１０１は前記駆動空間３０の前後端壁と回転できるように連結される短軸３８を含み、前記短軸３８の前端には前記第一傘歯車３６と噛み合う第二傘歯車３９が設置され、前記短軸３８の後端には第一歯車３７が設置され、前記短軸３８の左右両側には移動板３２が対称的に設置され、左右両端の前記移動板３２がそれぞれ左右両端の前記上スライド空間３３とスライドできるように連結され、前記移動板３２の下端と前記下スライド空間４３の下端壁との間には復帰ばね４４が連結され、前記移動板３２のうち前記第一歯車３７に近接する端面には前記第一歯車３７と噛み合う短ラック３１が対称的に設置され、前記移動板３２のうち前記調節軸２７に近接する端面にはそれぞれ細ロッド４１が固定的に設置され、前記細ロッド４１のもう一端にはそれぞれ前記固定盤４２を固定できる円錐状ヘッド４０が固定的に設置され、メイクポーチの角度を調節する時、前記つまみ３５を回し、これにより前記つまみ軸３４と、前記第一傘歯車３６と、前記第二傘歯車３９と、前記第一歯車３７との旋転によって、左端の前記移動板３２を下に連動させ、右端の前記移動板３２を上に連動させ、これにより前記固定盤４２のロックを解除し、前記メイクポーチ２３を回せる。
【００１６】
前記ロック解除装置１０２はロック解除軸５９を含み、前記ロック解除軸５９がそれぞれ前記連動空間６６の前後端壁と前記蓋５０の前端面と回転できるように連結され、前記ロック解除軸５９の前端にはスイッチ旋転ブロック６１が固定的に設置され、前記ロック解除軸５９の後端には第二歯車５８が固定的に設置され、前記連動空間６６の上下端壁にはロック解除スライド空間５５が設置され、前記ロック解除スライド空間５５の下端壁が前記蓋５０を貫通し、前記ロック解除スライド空間５５の中には前記第二歯車５８と噛み合う長ラック５７がスライドできるように連結され、前記長ラック５７と前記ロック解除スライド空間５５との間にはロック解除ばね５６が連結され、前記メイクポーチ２３の上端面には前記長ラック５７とスライドできるように連結される閉じ空間６０が設置され、化粧する時、前記スイッチ旋転ブロック６１を回し、これにより前記ロック解除軸５９と前記第二歯車５８が回転し、前記長ラック５７を上に移動連動させ、更に前記長ラック５７を前記閉じ空間６０から遠離させる。
【００１７】
使用する時、メイクを手がける時、ベルト２１を腰に巻き付け、調節板２９によってベルト２１の長さを調節し、それからスイッチ旋転ブロック６１を回し、これによりロック解除軸５９と第二歯車５８の回転によって、長ラック５７を上に移動連動させて閉じ空間６０から離脱させ、それから蓋５０を翻転し、蓋５０を収納空間５３の中に挿し込み、それから長ラック５７を右固定空間５２の中に固定し、保存空間５４の中の化粧品を選び、選び終わったら、メイクポーチ２３を長スライド空間２５のもう一端に押し、使用に妨げなく、メイクポーチ２３を引っ張れば化粧品を換えられ、化粧を終えた後、調節板２９の長さを調節することによって、ベルト２１を斜めで身にかけ、携帯に便利であり、同時につまみ３５を回し、更につまみ軸３４と、第一傘歯車３６と、第二傘歯車３９と、第一歯車３７とが旋転することによって、左端の移動板３２を下に連動させ、右端の移動板３２を上に連動させ、これにより固定盤４２のロックを解除し、更にメイクポーチ２３を回せ、メイクポーチ２３の角度を調節し、携帯中に化粧品が落ちることを防止する。
【００１８】
本発明の有益効果は：本装置によって、メイクアップアーティストが他人のメイクを手がける時、メイクポーチを往復にスライドするだけで、化粧品を換える時間を節約でき、それに携帯の時に斜めで身にかけ、メイクポーチの旋転により化粧品が傾いて漏れることを防止する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
ベルトを含み、前記ベルトの中には位置制限スライド孔が上下に対称的に設置され、前記位置制限スライド孔の後端壁には長スライド孔が設置され、それぞれの前記長スライド孔の中にはゴム板が上下に対称的にスライドできるように連結され、前記ゴム板と前記長スライド孔との間には小ばねが連結され、前記ベルトには長さを調節できる調節板が設置され、前記ベルトの前端には支持板が設置され、前記支持板の左右端面には連結ロッドが上下に対称的に、且つ固定的に設置され、上下両端の前記連結ロッドがそれぞれ前記位置制限スライド孔とスライドできるように連結され、前記連結ロッドの後端には前記ゴム板とスライドできるように連結される楕円スライドブロックが設置され、前記ゴム板は手で押さなくても前記楕円スライドブロックを前記長スライド孔の中に固定することができ、前記支持板の前端面には調節軸が固定的に設置され、前記調節軸の前端にはメイクポーチが回転できるように連結され、前記メイクポーチの後端壁には駆動空間が設置され、前記調節軸が前に伸びて前記駆動空間の中に挿入され、且つ前記駆動空間の前後端壁と回転できるように連結され、前記調節軸において前記駆動空間の中には固定盤が固定的に設置され、前記駆動空間の下端壁には下スライド空間が左右に対称的に設置され、前記駆動空間の上端壁には上スライド空間が左右に対称的に設置され、前記駆動空間の上端壁にはつまみ軸が回転できるように連結され、前記つまみ軸が上へ外部空間に伸びており、前記つまみ軸と前記メイクポーチの上端面とが回転できるように連結され、前記つまみ軸の上端にはつまみが固定的に設置され、前記つまみ軸の下端には第一傘歯車が固定的に設置され、前記駆動空間の中には前記つまみ軸を通じて駆動する旋転装置が設置され、前記旋転装置によって前記メイクポーチの角度を調節でき、前記駆動空間の前端には収納空間が設置され、前記収納空間の前端壁には右固定空間が設置され、前記収納空間の上端壁には外部空間と相通する通し空間が設置され、前記通し空間の前後端壁には円柱ロッドが固定的に設置され、前記通し空間の中には蓋がスライドできるように連結され、前記蓋の中には翻転スライド空間が設置され、前記翻転スライド空間と前記円柱ロッドとがスライドできるように連結され、前記翻転スライド空間の前端には連動空間が設置され、前記連動空間の中には前記蓋を制御するロック解除装置が設置され、前記収納空間の前端には外部空間と相通する保管空間が設置され、前記蓋によって前記保管空間の上端面を覆うことができることを特徴とするプロ用メイクポーチ。
【請求項２】
前記旋転装置は前記駆動空間の前後端壁と回転できるように連結される短軸を含み、前記短軸の前端には前記第一傘歯車と噛み合う第二傘歯車が設置され、前記短軸の後端には第一歯車が設置され、前記短軸の左右両側には移動板が対称的に設置され、左右両端の前記移動板がそれぞれ左右両端の前記上スライド空間とスライドできるように連結され、前記移動板の下端と前記下スライド空間の下端壁との間には復帰ばねが連結され、前記移動板のうち前記第一歯車に近接する端面には前記第一歯車と噛み合う短ラックが対称的に設置され、前記移動板のうち前記調節軸に近接する端面にはそれぞれ細ロッドが固定的に設置され、前記細ロッドのもう一端にはそれぞれ前記固定盤を固定できる円錐状ヘッドが固定的に設置され、メイクポーチの角度を調節する時、前記つまみを回し、これにより前記つまみ軸と、前記第一傘歯車と、前記第二傘歯車と、前記第一歯車との旋転によって、左端の前記移動板を下に連動させ、右端の前記移動板を上に連動させ、これにより前記固定盤のロックを解除し、前記メイクポーチを回せることを特徴とする請求項１に記載のプロ用メイクポーチ。
【請求項３】
前記ロック解除装置はロック解除軸を含み、前記ロック解除軸がそれぞれ前記連動空間の前後端壁と前記蓋の前端面と回転できるように連結され、前記ロック解除軸の前端にはスイッチ旋転ブロックが固定的に設置され、前記ロック解除軸の後端には第二歯車が固定的に設置され、前記連動空間の上下端壁にはロック解除スライド空間が設置され、前記ロック解除スライド空間の下端壁が前記蓋を貫通し、前記ロック解除スライド空間の中には前記第二歯車と噛み合う長ラックがスライドできるように連結され、前記長ラックと前記ロック解除スライド空間との間にはロック解除ばねが連結され、前記メイクポーチの上端面には前記長ラックとスライドできるように連結される閉じ空間が設置され、化粧する時、前記スイッチ旋転ブロックを回し、これにより前記ロック解除軸と前記第二歯車が回転し、前記長ラックを上に移動連動させ、更に前記長ラックを前記閉じ空間から遠離させることを特徴とする請求項１に記載のプロ用メイクポーチ。
【手続補正２】
【補正対象書類名】明細書
【補正対象項目名】全文
【補正方法】変更
【補正の内容】
【発明の詳細な説明】
【技術分野】
【０００１】
本発明は化粧品分野に関し、具体的にはプロ用メイクポーチである。
【背景技術】
【０００２】
撮影スタジオ又はドラマ撮影現場においてメイクアップアーティストは欠けない存在であり、化粧する時、化粧品を卓上に置き、モデルや俳優などのメイクを手がけ、様々な化粧品があって、取るのが面倒くさく、現有のメイクポーチの携帯に不便もある。
【先行技術文献】
【特許文献】
【０００３】
【特許文献１】中国特許出願公開第１０２８９４５７１号明細書
【発明の概要】
【発明が解決しようとする課題】
【０００４】
本発明の目的はプロ用メイクポーチを提供し、それは上記の現在の技術中の問題を解決できる。
【課題を解決するための手段】
【０００５】
本発明は以下の技術プランを通じて実現する：本発明のプロ用メイクポーチは、ベルトを含み、前記ベルトの中には位置制限スライド孔が上下に対称的に設置され、前記位置制限スライド孔の後端壁には長スライド孔が設置され、それぞれの前記長スライド孔の中にはゴム板が上下に対称的にスライドできるように連結され、前記ゴム板と前記長スライド孔との間には小ばねが連結され、前記ベルトには長さを調節できる調節板が設置され、前記ベルトの前端には支持板が設置され、前記支持板の左右端面には連結ロッドが上下に対称的に、且つ固定的に設置され、上下両端の前記連結ロッドがそれぞれ前記位置制限スライド孔とスライドできるように連結され、前記連結ロッドの後端には前記ゴム板とスライドできるように連結される楕円スライドブロックが設置され、前記ゴム板は手で押さなくても前記楕円スライドブロックを前記長スライド孔の中に固定することができ、前記支持板の前端面には調節軸が固定的に設置され、前記調節軸の前端にはメイクポーチが回転できるように連結され、前記メイクポーチの後端壁には駆動空間が設置され、前記調節軸が前に伸びて前記駆動空間の中に挿入され、且つ前記駆動空間の前後端壁と回転できるように連結され、前記調節軸において前記駆動空間の中には固定盤が固定的に設置され、前記駆動空間の下端壁には下スライド空間が左右に対称的に設置され、前記駆動空間の上端壁には上スライド空間が左右に対称的に設置され、前記駆動空間の上端壁にはつまみ軸が回転できるように連結され、前記つまみ軸が上へ外部空間に伸びており、前記つまみ軸と前記メイクポーチの上端面とが回転できるように連結され、前記つまみ軸の上端にはつまみが固定的に設置され、前記つまみ軸の下端には第一傘歯車が固定的に設置され、前記駆動空間の中には前記つまみ軸を通じて駆動する旋転装置が設置され、前記旋転装置によって前記メイクポーチの角度を調節でき、前記駆動空間の前端には収納空間が設置され、前記収納空間の前端壁には右固定空間が設置され、前記収納空間の上端壁には外部空間と相通する通し空間が設置され、前記通し空間の前後端壁には円柱ロッドが固定的に設置され、前記通し空間の中には蓋がスライドできるように連結され、前記蓋の中には翻転スライド空間が設置され、前記翻転スライド空間と前記円柱ロッドとがスライドできるように連結され、前記翻転スライド空間の前端には連動空間が設置され、前記連動空間の中には前記蓋を制御するロック解除装置が設置され、前記収納空間の前端には外部空間と相通する保管空間が設置され、前記蓋によって前記保管空間の上端面を覆うことができる。
【０００６】
優選的には、前記旋転装置は前記駆動空間の前後端壁と回転できるように連結される短軸を含み、前記短軸の前端には前記第一傘歯車と噛み合う第二傘歯車が設置され、前記短軸の後端には第一歯車が設置され、前記短軸の左右両側には移動板が対称的に設置され、左右両端の前記移動板がそれぞれ左右両端の前記上スライド空間とスライドできるように連結され、前記移動板の下端と前記下スライド空間の下端壁との間には復帰ばねが連結され、前記移動板のうち前記第一歯車に近接する端面には前記第一歯車と噛み合う短ラックが対称的に設置され、前記移動板のうち前記調節軸に近接する端面にはそれぞれ細ロッドが固定的に設置され、前記細ロッドのもう一端にはそれぞれ前記固定盤を固定できる円錐状ヘッドが固定的に設置され、メイクポーチの角度を調節する時、前記つまみを回し、これにより前記つまみ軸と、前記第一傘歯車と、前記第二傘歯車と、前記第一歯車との旋転によって、左端の前記移動板を下に連動させ、右端の前記移動板を上に連動させ、これにより前記固定盤のロックを解除し、前記メイクポーチを回せる。
【０００７】
優選的には、前記ロック解除装置はロック解除軸を含み、前記ロック解除軸がそれぞれ前記連動空間の前後端壁と前記蓋の前端面と回転できるように連結され、前記ロック解除軸の前端にはスイッチ旋転ブロックが固定的に設置され、前記ロック解除軸の後端には第二歯車が固定的に設置され、前記連動空間の上下端壁にはロック解除スライド空間が設置され、前記ロック解除スライド空間の下端壁が前記蓋を貫通し、前記ロック解除スライド空間の中には前記第二歯車と噛み合う長ラックがスライドできるように連結され、前記長ラックと前記ロック解除スライド空間との間にはロック解除ばねが連結され、前記メイクポーチの上端面には前記長ラックとスライドできるように連結される閉じ空間が設置され、化粧する時、前記スイッチ旋転ブロックを回し、これにより前記ロック解除軸と前記第二歯車が回転し、前記長ラックを上に移動連動させ、更に前記長ラックを前記閉じ空間から遠離させる。
【発明の効果】
【０００８】
本発明の有益効果は：本装置によって、メイクアップアーティストが他人のメイクを手がける時、メイクポーチを往復にスライドするだけで、化粧品を換える時間を節約でき、それに携帯の時に斜めで身にかけ、メイクポーチの旋転により化粧品が傾いて漏れることを防止する。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
【図１】図１は本発明のプロ用メイクポーチの正面構成略図
【図２】図２は図１の全体断面の俯瞰構造略図
【図３】図３は図２のＡ−Ａの断面図
【図４】図４は本発明のベルトの内部構造略図
【図５】図５は図２のＢ−Ｂの断面図
【図６】図６は図５のＣの局部拡大図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
以下、図１−６について本発明を詳しく説明し、便利に叙述するように、現在は後文に出る方位を下記の通りに規定する：後文に出る上下左右前後方向は図１本体の投影関係の上下左右前後方向と一致する。
【００１４】
図１−６を参照し、本発明の実施例：プロ用メイクポーチは、ベルト２１を含み、前記ベルト２１の中には位置制限スライド孔２４が上下に対称的に設置され、前記位置制限スライド孔２４の後端壁には長スライド孔２５が設置され、それぞれの前記長スライド孔２５の中にはゴム板４６が上下に対称的にスライドできるように連結され、前記ゴム板４６と前記長スライド孔２５との間には小ばね４５が連結され、前記ベルト２１には長さを調節できる調節板２９が設置され、前記ベルト２１の前端には支持板２８が設置され、前記支持板２８の左右端面には連結ロッド２２が上下に対称的に、且つ固定的に設置され、上下両端の前記連結ロッド２２がそれぞれ前記位置制限スライド孔２４とスライドできるように連結され、前記連結ロッド２２の後端には前記ゴム板４６とスライドできるように連結される楕円スライドブロック２６が設置され、前記ゴム板４６は手で押さなくても前記楕円スライドブロック２６を前記長スライド孔２５の中に固定することができ、前記支持板２８の前端面には調節軸２７が固定的に設置され、前記調節軸２７の前端にはメイクポーチ２３が回転できるように連結され、前記メイクポーチ２３の後端壁には駆動空間３０が設置され、前記調節軸２７が前に伸びて前記駆動空間３０の中に挿入され、且つ前記駆動空間３０の前後端壁と回転できるように連結され、前記調節軸２７において前記駆動空間３０の中には固定盤４２が固定的に設置され、前記駆動空間３０の下端壁には下スライド空間４３が左右に対称的に設置され、前記駆動空間３０の上端壁には上スライド空間３３が左右に対称的に設置され、前記駆動空間３０の上端壁にはつまみ軸３４が回転できるように連結され、前記つまみ軸３４が上へ外部空間に伸びており、前記つまみ軸３４と前記メイクポーチ２３の上端面とが回転できるように連結され、前記つまみ軸３４の上端にはつまみ３５が固定的に設置され、前記つまみ軸３４の下端には第一傘歯車３６が固定的に設置され、前記駆動空間３０の中には前記つまみ軸３４を通じて駆動する旋転装置１０１が設置され、前記旋転装置１０１によって前記メイクポーチ２３の角度を調節でき、前記駆動空間３０の前端には収納空間５３が設置され、前記収納空間５３の前端壁には右固定空間５２が設置され、前記収納空間５３の上端壁には外部空間と相通する通し空間６２が設置され、前記通し空間６２の前後端壁には円柱ロッド４９が固定的に設置され、前記通し空間６２の中には蓋５０がスライドできるように連結され、前記蓋５０の中には翻転スライド空間５１が設置され、前記翻転スライド空間５１と前記円柱ロッド４９とがスライドできるように連結され、前記翻転スライド空間５１の前端には連動空間６６が設置され、前記連動空間６６の中には前記蓋５０を制御するロック解除装置１０２が設置され、前記収納空間５３の前端には外部空間と相通する保管空間５４が設置され、前記蓋５０によって前記保管空間５４の上端面を覆うことができる。
【００１５】
前記旋転装置１０１は前記駆動空間３０の前後端壁と回転できるように連結される短軸３８を含み、前記短軸３８の前端には前記第一傘歯車３６と噛み合う第二傘歯車３９が設置され、前記短軸３８の後端には第一歯車３７が設置され、前記短軸３８の左右両側には移動板３２が対称的に設置され、左右両端の前記移動板３２がそれぞれ左右両端の前記上スライド空間３３とスライドできるように連結され、前記移動板３２の下端と前記下スライド空間４３の下端壁との間には復帰ばね４４が連結され、前記移動板３２のうち前記第一歯車３７に近接する端面には前記第一歯車３７と噛み合う短ラック３１が対称的に設置され、前記移動板３２のうち前記調節軸２７に近接する端面にはそれぞれ細ロッド４１が固定的に設置され、前記細ロッド４１のもう一端にはそれぞれ前記固定盤４２を固定できる円錐状ヘッド４０が固定的に設置され、メイクポーチの角度を調節する時、前記つまみ３５を回し、これにより前記つまみ軸３４と、前記第一傘歯車３６と、前記第二傘歯車３９と、前記第一歯車３７との旋転によって、左端の前記移動板３２を下に連動させ、右端の前記移動板３２を上に連動させ、これにより前記固定盤４２のロックを解除し、前記メイクポーチ２３を回せる。
【００１６】
前記ロック解除装置１０２はロック解除軸５９を含み、前記ロック解除軸５９がそれぞれ前記連動空間６６の前後端壁と前記蓋５０の前端面と回転できるように連結され、前記ロック解除軸５９の前端にはスイッチ旋転ブロック６１が固定的に設置され、前記ロック解除軸５９の後端には第二歯車５８が固定的に設置され、前記連動空間６６の上下端壁にはロック解除スライド空間５５が設置され、前記ロック解除スライド空間５５の下端壁が前記蓋５０を貫通し、前記ロック解除スライド空間５５の中には前記第二歯車５８と噛み合う長ラック５７がスライドできるように連結され、前記長ラック５７と前記ロック解除スライド空間５５との間にはロック解除ばね５６が連結され、前記メイクポーチ２３の上端面には前記長ラック５７とスライドできるように連結される閉じ空間６０が設置され、化粧する時、前記スイッチ旋転ブロック６１を回し、これにより前記ロック解除軸５９と前記第二歯車５８が回転し、前記長ラック５７を上に移動連動させ、更に前記長ラック５７を前記閉じ空間６０から遠離させる。
【００１７】
使用する時、メイクを手がける時、ベルト２１を腰に巻き付け、調節板２９によってベルト２１の長さを調節し、それからスイッチ旋転ブロック６１を回し、これによりロック解除軸５９と第二歯車５８の回転によって、長ラック５７を上に移動連動させて閉じ空間６０から離脱させ、それから蓋５０を翻転し、蓋５０を収納空間５３の中に挿し込み、それから長ラック５７を右固定空間５２の中に固定し、保存空間５４の中の化粧品を選び、選び終わったら、メイクポーチ２３を長スライド孔２５のもう一端に押し、使用に妨げなく、メイクポーチ２３を引っ張れば化粧品を換えられ、化粧を終えた後、調節板２９の長さを調節することによって、ベルト２１を斜めで身にかけ、携帯に便利であり、同時につまみ３５を回し、更につまみ軸３４と、第一傘歯車３６と、第二傘歯車３９と、第一歯車３７とが旋転することによって、左端の移動板３２を下に連動させ、右端の移動板３２を上に連動させ、これにより固定盤４２のロックを解除し、更にメイクポーチ２３を回せ、メイクポーチ２３の角度を調節し、携帯中に化粧品が落ちることを防止する。
【００１８】
本発明の有益効果は：本装置によって、メイクアップアーティストが他人のメイクを手がける時、メイクポーチを往復にスライドするだけで、化粧品を換える時間を節約でき、それに携帯の時に斜めで身にかけ、メイクポーチの旋転により化粧品が傾いて漏れることを防止する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。